(57)【要約】      （修正有）【課題】簡易に設置でき、縦板の熱膨張によっても破損しにくいフェンスを提供する。【解決手段】縦板型フェンス１０は、枠体１２と、第一縦板１４と、第一隙間板１６と、第二隙間板１８と、第一横板２２と、第二横板２４とを備える。枠体１２は、第一横枠と第二横枠を備える。第一縦板１４は、第一横枠の表面と第二横枠の表面に渡って設置される。第一隙間板１６は、隣り合う２つの第一縦板１４，１４の間で、第一横枠の表面に設置され、第二隙間板１８は、隣り合う２つの第一縦板１４，１４の間で、第二横枠の表面に設置される。第一横板２２は、第一縦板１４を介して第一横枠にネジ止めされると共に、第一隙間板１６を介して第一横枠にネジ止めされる。第二横板は、第二隙間板１８を介して第二横枠にネジ止めされる。【選択図】図１
0003182471.tif 000002
【実用新案登録請求の範囲】
【請求項１】
第一横枠を備える枠体と、
間隔を開けて、前記第一横枠の表面に上端部が設置される２以上の第一縦板と、
隣り合う２つの第一縦板の間で、前記第一横枠の表面に設置される第一隙間板と、
前記第一縦板および前記第一隙間板を、前記第一横枠と挟んで保持する第一横板と、
を有するフェンス。
【請求項２】
請求項１において、
前記第一横板は、前記第一縦板を介して前記第一横枠にネジ止めされると共に、前記第一隙間板を介して前記第一横枠にネジ止めされるフェンス。
【請求項３】
請求項１または２において、
前記枠体は、前記第一横枠の下に第二横枠をさらに備え、
前記第一縦板は、前記第一横枠の表面と前記第二横枠の表面に渡って設置され、
隣り合う２つの第一縦板の間で、前記第二横枠の表面に設置される第二隙間板と、
前記第一縦板および前記第二隙間板を、前記第二横枠と挟んで保持する第二横板と、
をさらに有するフェンス。
【請求項４】
請求項３において、
前記第二横板は、前記第二隙間板を介して前記第二横枠にネジ止めされるフェンス。
【請求項５】
請求項１から４のいずれかにおいて、
前記枠体は、前記第二横枠の下に第三横枠をさらに備え、
前記第一縦板は、前記第一横枠の表面、前記第二横枠の表面、および前記第三横枠の表面に渡って設置され、
隣り合う２つの第一縦板の間で、前記第三横枠の表面に設置される第三隙間板と、
前記第一縦板および前記第三隙間板を、前記第三横枠と挟んで保持する第三横板と、
をさらに有するフェンス。
【請求項６】
請求項５において、
前記第三横板は、前記第三隙間板を介して前記第三横枠にネジ止めされるフェンス。
【請求項７】
第一横枠を備える枠体と、
間隔を開けて、前記第一横枠の表面に上端部が設置される２以上の第一縦板と、
隣り合う２つの第一縦板の間で、前記第一横枠の表面に設置される第一隙間板と、
前記第一隙間板の表面に上端部が設置される２以上の第二縦板と、
隣り合う２つの第二縦板の間で、前記第一縦板を前記第一横枠と挟むように設置される第四隙間板と、
前記第一縦板、前記第一隙間板、前記第二縦板、および前記第四隙間板を、前記第一横枠と挟んで保持する第一横板と、
を有するフェンス。
【請求項８】
請求項７において、
前記第一横板は、前記第一縦板および前記第四隙間板を介して前記第一横枠にネジ止めされると共に、前記第一隙間板および前記第二縦板を介して、前記第一横枠にネジ止めされるフェンス。
【請求項９】
請求項７または８において、
前記枠体は、前記第一横枠の下に第二横枠をさらに備え、
前記第一縦板は、前記第一横枠の表面と前記第二横枠の表面に渡って設置され、
隣り合う２つの第一縦板の間で、前記第二横枠の表面に設置される第二隙間板と、
隣り合う２つの第二縦板の間で、前記第一縦板を前記第二横枠と挟むように設置される第五隙間板と、
前記第一縦板、前記第二隙間板、前記第二縦板、および前記第五隙間板を、前記第二横枠と挟んで保持する第二横板と、
をさらに有するフェンス。
【請求項１０】
請求項９において、
前記第二横板は、前記第一縦板および第五隙間板に形成された長孔を介して、前記第二横枠にネジ止めされるフェンス。
【請求項１１】
請求項７から１０のいずれかにおいて、
前記枠体は、前記第二横枠の下に第三横枠をさらに備え、
前記第一縦板は、前記第一横枠の表面、前記第二横枠の表面、および前記第三横枠の表面に渡って設置され、
隣り合う２つの第一縦板の間で、前記第三横枠の表面に設置される第三隙間板と、
隣り合う２つの第二縦板の間で、前記第一縦板を前記第三横枠と挟むように設置される第六隙間板と、
前記第一縦板、前記第三隙間板、前記第二縦板、および前記第六隙間板を、前記第三横枠と挟んで保持する第三横板と、
をさらに有するフェンス。
【請求項１２】
請求項１１において、
前記第三横板は、前記第一縦板および第六隙間板に形成された長孔を介して、前記第三横枠にネジ止めされるフェンス。
【考案の詳細な説明】
【技術分野】
【０００１】
本考案は、簡易に設置できる縦板型フェンスおよび縦板型目隠しフェンスに関するものである。
【背景技術】
【０００２】
庭やウッドデッキ等の外周に設置するフェンスに、一定の間隔を開けて縦板が設けられ、縦板の間が空洞となっているタイプの縦板型フェンスがある。図１４は、従来の縦板型フェンス７０の正面図と平面図である（以下「縦板型フェンス」を単に「フェンス」という場合がある）。フェンス７０は、支柱７２と、横板７４，７６と、縦板７８とを備える。フェンス７０は、支柱７２，７２の背面から横板７４，７６をネジで固定し、横板７４，７６の前面から縦板７８をネジによって所定の間隔で固定して組み立てる。
【０００３】
また、前側と後側に縦板を交互に配置した縦板型目隠しフェンスがある。図１５は、従来の縦板型目隠しフェンス８０の正面図と平面図である（以下「縦板型目隠しフェンス」を単に「フェンス」という場合がある）。フェンス８０は、支柱８２と、横板８４，８６と、前側縦板８８と、後側縦板９０とを備える。フェンス８０は、支柱８２，８２と、支柱８２，８２の間に配置した横板８４，８６とを、接合板等を用いてこれらの背面をネジで固定し、横板８４，８６の前面から後側縦板９０をネジで所定の間隔で取り付けた後に、隣り合う後側縦板９０，９０の前面から前側縦板８８をネジで固定して組み立てる。
【０００４】
フェンス７０では縦板７８の位置決めに、フェンス８０では後側縦板９０および前側縦板８８の位置決めに時間と労力を要する。また、横板７４，７６、縦板７８、横板８４，８６、後側縦板９０、および前側縦板８８のネジ固定にも時間と労力を要する。さらに、フェンス７０では縦板７８が熱膨張したときに、フェンス８０では後側縦板９０または前側縦板８８が熱膨張したときにネジ固定部に力が加わり、フェンス７０，８０の破損のおそれがある。
【考案の概要】
【考案が解決しようとする課題】
【０００５】
本考案はこのような事情に鑑みてなされたものであり、簡易に設置でき、縦板の熱膨張によっても破損しにくい縦板型フェンスを提供することを目的とする。
【課題を解決するための手段】
【０００６】
本考案の第一態様のフェンスは、第一横枠を備える枠体と、間隔を開けて、第一横枠の表面に上端部が設置される２以上の第一縦板と、隣り合う２つの第一縦板の間で、第一横枠の表面に設置される第一隙間板と、第一縦板および第一隙間板を、第一横枠と挟んで保持する第一横板とを有する。
【０００７】
本考案の第一態様のフェンスにおいて、第一横板は、第一縦板を介して第一横枠にネジ止めされると共に、第一隙間板を介して第一横枠にネジ止めされていてもよい。本考案の第一態様のフェンスにおいて、枠体は、第一横枠の下に第二横枠をさらに備え、第一縦板は、第一横枠の表面と第二横枠の表面に渡って設置され、隣り合う２つの第一縦板の間で、第二横枠の表面に設置される第二隙間板と、第一縦板および第二隙間板を、第二横枠と挟んで保持する第二横板とをさらに有することが好ましい。
【０００８】
本考案の第一態様のフェンスにおいて、第二横板は、第二隙間板を介して第二横枠にネジ止めされていてもよい。本考案の第一態様のフェンスにおいて、枠体は、第二横枠の下に第三横枠をさらに備え、第一縦板は、第一横枠の表面、第二横枠の表面、および第三横枠の表面に渡って設置され、隣り合う２つの第一縦板の間で、第三横枠の表面に設置される第三隙間板と、第一縦板および第三隙間板を、第三横枠と挟んで保持する第三横板とをさらに有することが好ましい。本考案の第一態様のフェンスにおいて、第三横板は、第三隙間板を介して第三横枠にネジ止めされていてもよい。
【０００９】
本考案の第二態様のフェンスは、第一横枠を備える枠体と、間隔を開けて、第一横枠の表面に上端部が設置される２以上の第一縦板と、隣り合う２つの第一縦板の間で、第一横枠の表面に設置される第一隙間板と、第一隙間板の表面に上端部が設置される２以上の第二縦板と、隣り合う２つの第二縦板の間で、第一縦板を第一横枠と挟むように設置される第四隙間板と、第一縦板、第一隙間板、第二縦板、および第四隙間板を、第一横枠と挟んで保持する第一横板とを有する。
【００１０】
本考案の第二態様のフェンスにおいて、第一横板は、第一縦板および第四隙間板を介して第一横枠にネジ止めされると共に、第一隙間板および第二縦板を介して、第一横枠にネジ止めされていてもよい。本考案の第二態様のフェンスにおいて、枠体は、第一横枠の下に第二横枠をさらに備え、第一縦板は、第一横枠の表面と第二横枠の表面に渡って設置され、隣り合う２つの第一縦板の間で、第二横枠の表面に設置される第二隙間板と、隣り合う２つの第二縦板の間で、第一縦板を第二横枠と挟むように設置される第五隙間板と、第一縦板、第二隙間板、第二縦板、および第五隙間板を、第二横枠と挟んで保持する第二横板とをさらに有することが好ましい。
【００１１】
本考案の第二態様のフェンスにおいて、第二横板は、第一縦板および第五隙間板に形成された長孔を介して、第二横枠にネジ止めされていてもよい。本考案の第二態様のフェンスにおいて、枠体は、第二横枠の下に第三横枠をさらに備え、第一縦板は、第一横枠の表面、第二横枠の表面、および第三横枠の表面に渡って設置され、隣り合う２つの第一縦板の間で、第三横枠の表面に設置される第三隙間板と、隣り合う２つの第二縦板の間で、第一縦板を第三横枠と挟むように設置される第六隙間板と、第一縦板、第三隙間板、第二縦板、および第六隙間板を、第三横枠と挟んで保持する第三横板とをさらに有することが好ましい。本考案の第二態様のフェンスにおいて、第三横板は、第一縦板および第六隙間板に形成された長孔を介して、第三横枠にネジ止めされていてもよい。
【考案の効果】
【００１２】
本考案によれば、簡易に設置でき、縦板の熱膨張によっても破損しにくい縦板型フェンスが得られる。
【図面の簡単な説明】
【００１３】
【図１】本考案の第一実施形態に係る縦板型フェンスの正面図である。
【図２】本考案の第一実施形態に係る縦板型フェンスの平面図である。
【図３】図１に示す縦板型フェンスのＡ−Ａ線断面模式図である。
【図４】図１に示す縦板型フェンスのＢ−Ｂ線断面模式図である。
【図５】図１に示す縦板型フェンスのＣ−Ｃ線断面模式図である。
【図６】本考案の第一実施形態に係る縦板型フェンスの組立手順を示す正面図である。
【図７】本考案の第二実施形態に係る縦板型目隠しフェンスの正面図である。
【図８】本考案の第二実施形態に係る縦板型目隠しフェンスの平面図である。
【図９】図７に示す縦板型目隠しフェンスのＤ−Ｄ線断面模式図である。
【図１０】図７に示す縦板型目隠しフェンスのＥ−Ｅ線断面模式図である。
【図１１】図７に示す縦板型目隠しフェンスのＦ−Ｆ線断面模式図である。
【図１２】本考案の第二実施形態に係る縦板型目隠しフェンスの組立手順を示す正面図である。
【図１３】本考案の第二実施形態に係る縦板型目隠しフェンスの組立手順を示す正面図である。
【図１４】従来の縦板型フェンスの正面図と平面図である。
【図１５】従来の縦板型目隠しフェンスの正面図と平面図である。
【考案を実施するための形態】
【００１４】
以下、本考案のフェンスについて、図面を参照しながら各実施形態に基づいて説明する。なお、図面は、フェンス、フェンスを構成する部材、およびフェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１５】
（第一実施形態）
図１は、本考案の第一実施形態に係る縦板型フェンス１０の正面図である。図２は、フェンス１０の平面図である。図３は、図１に示すフェンス１０のＡ−Ａ線断面を模式的に示す断面図である。図４は、図１に示すフェンス１０のＢ−Ｂ線断面を模式的に示す断面図である。図５は、図１に示すフェンス１０のＣ−Ｃ線断面を模式的に示す断面図である。フェンス１０は、一定の間隔を開けて縦板が設けられており、縦板の間が空洞となっている縦板型フェンスである。フェンス１０は、枠体１２と、第一縦板１４と、第一隙間板１６と、第二隙間板１８と、第三隙間板２０と、第一横板２２と、第二横板２４と、第三横板２６とを備える。
【００１６】
枠体１２は、正面がほぼ「日」の字の形状をしており、金属、木材、または樹脂等から構成される。枠体１２は、縦枠２８，３０と、第一横枠３２と、第二横枠３４と、第三横枠３６とを備える。枠体１２は、フェンス１０の骨格となる。縦枠２８，３０は、枠体１２の左右両端の支柱として機能し、鉛直方向に長い直方体形状を有している。縦枠２８，３０の下部は地中に埋設される。第一横枠３２、第二横枠３４、および第三横枠３６は、水平方向に長い直方体形状を有し、縦枠２８，３０を連結するように上からこの順に配置される。
【００１７】
第一縦板１４は木材や樹脂等から構成され、鉛直方向に長い長方形板状の形状を有している。２以上の第一縦板１４は、第一横枠３２の横方向、すなわち水平方向に間隔を開けて、第一横枠３２の表面、すなわち第一横枠３２の前面に、その上端部が配置される。同様に、２以上の第一縦板１４は、その中央部が第二横枠３４の表面に、その下端部が第三横枠３６の表面に配置されるように、第一横枠３２の表面と、第二横枠３４の表面と、第三横枠３６の表面に渡って設置される。第一縦板１４は、第一横枠３２にネジ止めされる。このネジ止めに代えて、第一縦板１４を、第一横枠３２に両面テープ等によって仮固定してもよい。
【００１８】
第一隙間板１６は木材や樹脂等から構成され、第一横板２２で隠れる長方形板状の形状を有している。第一隙間板１６は、隣り合う２つの第一縦板１４，１４の間で、第一横枠３２の表面に設置される。第一隙間板１６は、第一横枠３２の表面に、両面テープ等によって仮固定される。このように、２つの第一縦板１４，１４が第一隙間板１６を挟んで、すなわち第一縦板１４と第一隙間板１６とが交互に配置されるため、所定の間隔で第一縦板１４を簡易に配置できる。
【００１９】
同様に、第二隙間板１８は木材や樹脂等から構成され、第二横板２４で隠れる長方形板状の形状を有している。第二隙間板１８は、隣り合う２つの第一縦板１４，１４の間で、第二横枠３４の表面に設置される。第二隙間板１８は、第二横枠３４の表面に、両面テープ等によって仮固定される。このように、２つの第一縦板１４，１４が第二隙間板１８を挟んで、すなわち第一縦板１４と第二隙間板１８とが交互に配置されるため、所定の間隔で第一縦板１４を簡易に配置できる。
【００２０】
同様に、第三隙間板２０は木材や樹脂等から構成され、第三横板２６で隠れる長方形板状の形状を有している。第三隙間板２０は、隣り合う２つの第一縦板１４，１４の間で、第三横枠３６の表面に設置される。第三隙間板２０は、第三横枠３６の表面に、両面テープ等によって仮固定される。このように、２つの第一縦板１４，１４が第三隙間板２０を挟んで、すなわち第一縦板１４と第三隙間板２０とが交互に配置されるため、所定の間隔で第一縦板１４を簡易に配置できる。
【００２１】
第一横板２２は木材や樹脂等から構成され、水平方向に長い長方形板状の形状を有している。第一横板２２は、大きい長方形の面が第一縦板１４および第一隙間板１６と接するようにして、第一縦板１４および第一隙間板１６を第一横枠３２と挟んで保持する。すなわち、後方の第一横枠３２と前方の第一横板２２とで、これらの間にある第一縦板１４および第一隙間板１６を挟んでいる。
【００２２】
第一横板２２は、第一縦板１４を介して第一横枠３２にネジ止めされると共に、第一隙間板１６を介して第一横枠３２にネジ止めされる。すなわち、第一横板２２の前面から差し込まれたネジは、第一縦板１４を通過して第一横枠３２に到達して止まる。また、第一横板２２の前面から差し込まれたネジは、第一隙間板１６を通過して第一横枠３２に到達して止まる。第一縦板１４の上端部の前面および第一隙間板１６の前面の全ての個所で第一横板２２をネジ止めしてもよいし、第一縦板１４の上端部の前面および第一隙間板１６の前面の一部の個所、例えば一枚おき等で第一横板２２をネジ止めしてもよい。
【００２３】
第二横板２４は木材や樹脂等から構成され、水平方向に長い長方形板状の形状を有している。第二横板２４は、大きい長方形の面が第一縦板１４および第二隙間板１８と接するようにして、第一縦板１４および第二隙間板１８を第二横枠３４と挟んで保持する。すなわち、後方の第二横枠３４と前方の第二横板２４とで、これらの間にある第一縦板１４および第二隙間板１８を挟んでいる。
【００２４】
第二横板２４は、第二隙間板１８を介して第二横枠３４にネジ止めされる。すなわち、第二横板２４の前面から差し込まれたネジは、第二隙間板１８を通過して第二横枠３４に到達して止まる。第二隙間板１８の前面の全ての個所で第二横板２４をネジ止めしてもよいし、第二隙間板１８の前面の一部の個所、例えば一枚おき等で第二横板２４をネジ止めしてもよい。中央部が第二横枠３４に、下端部が第三横枠３６にそれぞれネジ止めされず、上端部のみが第一横枠３２にネジ止めされる第一縦板１４は、フェンス１０内で鉛直方向に伸縮できるため、第一縦板１４が熱膨張または熱収縮してもフェンス１０が破損するのを抑えられる。
【００２５】
なお、フェンス１０の左右両端に設置された第一縦板１４，１４の中央部でも、第二横板２４が第一縦板１４，１４を介して第二横枠３４にネジ止めされる。このネジ止めによって、フェンス１０の左端に設置された第一縦板１４は、上端部を回転軸とした左方向への回転が抑えられ、フェンス１０の右端に設置された第一縦板１４は、上端部を回転軸とした右方向への回転が抑えられる。なお、第一縦板１４に設けるネジ孔をネジの外径より大きな孔である長孔Ｈにすれば、第一縦板１４がフェンス１０内で鉛直方向に伸縮できるため、第一縦板１４が熱膨張または熱収縮してもフェンス１０が破損するのを抑えられる。
【００２６】
第三横板２６は、第二横板２４と同様である。すなわち、第三横板２６は木材や樹脂等から構成され、水平方向に長い長方形板状の形状を有している。第三横板２６は、大きい長方形の面が第一縦板１４および第三隙間板２０と接するようにして、第一縦板１４および第三隙間板２０を第三横枠３６とで挟んで保持する。すなわち、後方の第三横枠３６と前方の第三横板２６とで、これらの間にある第一縦板１４および第三隙間板２０を挟んでいる。
【００２７】
第三横板２６は、第三隙間板２０を介して第三横枠３６にネジ止めされる。すなわち、第三横板２６の前面から差し込まれたネジは、第三隙間板２０を通過して第三横枠３６に到達して止まる。第三隙間板２０の前面の全ての個所で第三横板２６をネジ止めしてもよいし、第三隙間板２０の前面の一部の個所、例えば一枚おき等で第三横板２６をネジ止めしてもよい。上述したように、上端部のみが第一横枠３２にネジ止めされる第一縦板１４を備えるフェンス１０は、第一縦板１４が熱膨張または熱収縮しても破損しにくい。
【００２８】
また、フェンス１０の左右両端に設置された第一縦板１４，１４の下端部でも、第一縦板１４，１４に設けられた長孔を介して、第三横板２６が第三横枠３６にネジ止めされる。長孔は、フェンス１０の組み立て途中で第一縦板１４に設ける。第一縦板１４，１４に設けられた長孔を介して、第三横板２６が第三横枠３６にネジ止めされるため、第一縦板１４が熱膨張または熱収縮してもフェンス１０が破損するのを抑えられる。なお、本実施形態のフェンス１０では、左右両端に設置された第一縦板１４，１４の中央部および下端部の双方で、第一縦板１４，１４に設けられた長孔Ｈを介して、左右両端に設置された第一縦板１４，１４が枠体１２にネジ止めされるが、フェンス１０の左右両端の第一縦板１４，１４は、中央部または下端部のどちらか一方で枠体１２にネジ止めされていてもよい。どちらか一方で枠体１２にネジ止めされれば、上端部を回転軸とした左右方向への回転が抑えられるからである。
【００２９】
つぎに、フェンス１０の組立方法について説明する。図６は、フェンス１０の組立手順を示す正面図である。まず、図６に示すように、枠体１２の第一横枠３２の表面に第一縦板１４と第一隙間板１６とが、第二横枠３４の表面に第一縦板１４と第二隙間板１８とが、第三横枠３６の表面に第一縦板１４と第三隙間板２０とが、それぞれ交互に並ぶように配置する。第一縦板１４は、上端部の二個所が第一横枠３２にネジ止めされる。第一隙間板１６は第一横枠３２に、第二隙間板１８は第二横枠３４に、第三隙間板２０は第三横枠３６にそれぞれ両面テープ等で仮固定される。
【００３０】
その後、図１に示すように、第一縦板１４の上端部と第一隙間板１６の表面を覆うように、第一横板２２を設置する。第一横板２２は、第一縦板１４を介して第一横枠３２にネジ止めされ、第一隙間板１６を介して第一横枠３２にネジ止めされる。また、第一縦板１４の中央部と第二隙間板１８の表面を覆うように、第二横板２４を設置する。第二横板２４は、左右両端の第一縦板１４，１４に設けられた長孔を介して第二横枠３４にネジ止めされ、第二隙間板１８を介して第二横枠３４にネジ止めされる。そして、第一縦板１４の下端部と第三隙間板２０の表面を覆うように、第三横板２６を設置する。第三横板２６は、左右両端の第一縦板１４，１４に設けられた長孔を介して第三横枠３６にネジ止めされ、第三隙間板２０を介して第三横枠３６にネジ止めされる。
【００３１】
（第二実施形態）
図７は、本考案の第二実施形態に係る縦板型フェンス４０の正面図である。図８は、フェンス４０の平面図である。図９は、図７に示すフェンス４０のＤ−Ｄ線断面を模式的に示す断面図である。図１０は、図７に示すフェンス４０のＥ−Ｅ線断面を模式的に示す断面図である。図１１は、図７に示すフェンス４０のＦ−Ｆ線断面を模式的に示す断面図である。フェンス４０は、前側と後側に縦板を交互に配置した縦板型目隠しフェンスである。
【００３２】
フェンス４０は、枠体１２と、第一縦板１４と、第一隙間板１６と、第二隙間板１８と、第三隙間板２０と、第二縦板４４と、第四隙間板４６と、第五隙間板４８と、第六隙間板５０と、第一横板２２と、第二横板２４と、第三横板２６とを備える。枠体１２、第一縦板１４、第一隙間板１６、第二隙間板１８、および第三隙間板２０の材質、形状、および配置は、第一実施形態のフェンス１０とほぼ同じである。フェンス４０の左右両端に設置される第一隙間板１６，１６、第二隙間板１８，１８、および第三隙間板２０，２０の形状が、フェンス４０の他の隙間板の形状および第一実施形態のフェンス１０に用いられる隙間板の形状と異なる。また、第一横板２２、第二横板２４、および第三横板２６の材質と形状は、第一実施形態のフェンス１０と同じであるが、第一横板２２、第二横板２４、および第三横板２６の配置とネジ止め方法は、第一実施形態のフェンス１０と異なる。
【００３３】
本実施形態のフェンス４０では、第二縦板４４が第一縦板１４と、第四隙間板４６が第一隙間板１６と、第五隙間板４８が第二隙間板１８と、第六隙間板５０が第三隙間板２０と、材質および形状がそれぞれ同じであるが、異なっていてもよい。２以上の第二縦板４４は、第一隙間板１６の表面にその上端部が設置される。第二縦板４４の上端部は、第一隙間板１６を介して第一横枠３２にネジ止めされる。すなわち、第二縦板４４の上端部の前面から差し込まれたネジは、第一隙間板１６を通過して第一横枠３２に到達して止まる。
【００３４】
本実施形態のフェンス４０では、第一隙間板１６の両隣の第一縦板１４，１４と一部重なるように第二縦板４４が第一隙間板１６の表面に設置されるが、第一隙間板１６の両隣の第一縦板１４，１４と重ならないように、かつ隙間ができないように第二縦板４４が第一隙間板１６の表面に設置されてもよいし、第一隙間板１６の両隣の第一縦板１４，１４と隙間ができるように第二縦板４４が第一隙間板１６の表面に設置されてもよい。
【００３５】
第四隙間板４６は、隣り合う２つの第二縦板４４，４４の間で、第一縦板１４を第一横枠３２と挟むように設置される。第四隙間板４６は、第一縦板１４の上端部の表面に、両面テープ等によって仮固定される。第五隙間板４８は、隣り合う２つの第二縦板４４，４４の間で、第一縦板１４を第二横枠３４と挟むように設置される。第五隙間板４８は、第一縦板１４の中央部の表面に、両面テープ等によって仮固定される。第六隙間板５０は、隣り合う２つの第二縦板４４，４４の間で、第一縦板１４を第三横枠３６と挟むように設置される。第六隙間板５０は、第一縦板１４の下端部の表面に、両面テープ等によって仮固定される。
【００３６】
第一横板２２は、第一縦板１４、第一隙間板１６、第二縦板４４、および第四隙間板４６を、第一横枠３２と挟んで保持する。第一横板２２は、第一縦板１４および第四隙間板４６を介して第一横枠３２にネジ止めされると共に、第一隙間板１６および第二縦板４４を介して、第一横枠３２にネジ止めされる。すなわち、第一横板２２の前面から差し込まれたネジは、第四隙間板４６および第一縦板１４を通過して第一横枠３２に到達して止まる。第一横板２２の前面から差し込まれた他のネジは、第二縦板４４および第一隙間板１６を通過して第一横枠３２に到達して止まる。第二縦板４４の上端部の前面および第四隙間板４６の前面の全ての個所で第一横板２２をネジ止めしてもよいし、第二縦板４４の上端部の前面および第四隙間板４６の前面の一部の個所、例えば一枚おき等で第一横板２２をネジ止めしてもよい。
【００３７】
第二横板２４は、第一縦板１４、第二隙間板１８、第二縦板４４、および第五隙間板４８を、第二横枠３４と挟んで保持する。第二横板２４は、図９に示すように、第一縦板１４および第五隙間板４８に形成された長孔Ｈを介して、第二横枠３４にネジ止めされる。すなわち、第二横板２４の前面から差し込まれたネジは、第五隙間板４８の長孔Ｈおよび第一縦板１４の長孔Ｈを通過して第二横枠３４に到達して止まる。長孔Ｈは、フェンス４０の組み立て途中で第一縦板１４および第五隙間板４８に設ける。予め長孔Ｈを設けた第五隙間板４８を用いて、フェンス４０を組み立ててもよい。また、第五隙間板４８の前面の全ての個所で第二横板２４をネジ止めしてもよいし、第五隙間板４８の前面の一部の個所、例えば一枚おき等で第二横板２４をネジ止めしてもよい。
【００３８】
第二縦板４４の中央部が第二横枠３４に、下端部が第三横枠３６にそれぞれネジ止めされず、第二縦板４４の上端部のみが第一隙間板１６を介して第一横枠３２にネジ止めされるので、フェンス４０内で第二縦板４４が鉛直方向に伸縮できる。このため、第二縦板４４が熱膨張または熱収縮してもフェンス４０が破損するのを抑えられる。また、第一縦板１４の中央部が第二横枠３４に、下端部が第三横枠３６にそれぞれネジ止めされず、すなわち、第一縦板１４の中央部および下端部は、第一縦板１４に設けられた長孔Ｈをネジが通過しているだけであり、第一縦板１４の上端部のみが第一隙間板１６を介して第一横枠３２にネジ止めされるので、フェンス４０内で第一縦板１４が鉛直方向に伸縮できる。このため、第一縦板１４が熱膨張または熱収縮してもフェンス４０が破損するのを抑えられる。
【００３９】
なお、図９に示すように、フェンス４０の左右両端に設置された第二縦板４４，４４の中央部に形成された長孔Ｈおよび第二隙間板１８，１８を介して、第二横板２４が第二横枠３４にネジ止めされる。このネジ止めによって、フェンス４０の左端に設置された第二縦板４４は、上端部を回転軸とした左方向への回転が抑えられ、フェンス４０の右端に設置された第二縦板４４は、上端部を回転軸とした右方向への回転が抑えられる。第二縦板４４の中央部および下端部に設けられるネジ孔が長孔なので、第二縦板４４がフェンス４０内で鉛直方向に伸縮できる。このため、第二縦板４４が熱膨張または熱収縮してもフェンス４０が破損するのを抑えられる。
【００４０】
第三横板２６は、第一縦板１４、第三隙間板２０、第二縦板４４、および第六隙間板５０を、第三横枠３６と挟んで保持する。第三横板２６は、図１１に示すように、第一縦板１４および第六隙間板５０に形成された長孔Ｈを介して、第三横枠３６にネジ止めされる。すなわち、第三横板２６の前面から差し込まれたネジは、第六隙間板５０の長孔Ｈおよび第一縦板１４の長孔Ｈを通過して第三横枠３６に到達して止まる。長孔Ｈは、フェンス４０の組み立て途中で第一縦板１４および第六隙間板５０に設ける。予め長孔Ｈを設けた第六隙間板５０を用いて、フェンス４０を組み立ててもよい。また、第六隙間板５０の前面の全ての個所で第二横板２４をネジ止めしてもよいし、第六隙間板５０の前面の一部の個所、例えば一枚おき等で第二横板２４をネジ止めしてもよい。
【００４１】
つぎに、フェンス４０の組立方法について説明する。図１２と図１３は、フェンス４０の組立手順を示す正面図である。まず、図１２に示すように、枠体１２の第一横枠３２の表面に第一縦板１４と第一隙間板１６とが、第二横枠３４の表面に第一縦板１４と第二隙間板１８とが、第三横枠３６の表面に第一縦板１４と第三隙間板２０とが、それぞれ交互に並ぶように配置される。第一縦板１４は、上端部の二個所が第一横枠３２にネジ止めされる。第一隙間板１６は第一横枠３２に、第二隙間板１８は第二横枠３４に、第三隙間板２０は第三横枠３６にそれぞれ両面テープ等で仮固定される。
【００４２】
その後、図１３に示すように、第一隙間板１６の表面に上端部が、第二隙間板１８の表面に中央部が、第三隙間板２０の表面に下端部が配置されるように、第二縦板４４を設置する。第二縦板４４の上端部は、第一隙間板１６を介してネジＳによって第一横枠３２に止めされる。また、図１３に示すように、隣り合う２つの第二縦板４４，４４の上端部の間で第一縦板１４の表面に第四隙間板４６を設置する。同様に、隣り合う２つの第二縦板４４，４４の中央部の間で第一縦板１４の表面に第五隙間板４８を設置し、隣り合う２つの第二縦板４４，４４の下端部の間で第一縦板１４の表面に第六隙間板５０を設置する。第四隙間板４６、第五隙間板４８、および第六隙間板５０は、第一縦板１４にそれぞれ両面テープ等で仮固定される。
【００４３】
そして、フェンス４０の左右両端の第二縦板４４，４４の中央部と下端部に、長孔Ｈを開ける。このとき、フェンス４０の左右両端の第二縦板４４，４４の奥に設置されている第二隙間板１８および第三隙間板２０に長孔Ｈを一緒に開けてもよい。また、第五隙間板４８および第六隙間板５０にも長孔Ｈを開ける。このとき、第五隙間板４８および第六隙間板５０の奥に設置されている第一縦板１４にも長孔Ｈを一緒に開ける。
【００４４】
つぎに、図７に示すように、第二縦板４４の上端部と第四隙間板４６の表面を覆うように、第一横板２２を設置する。第一横板２２は、図８に示すように、第二縦板４４と第一隙間板１６を介して第一横枠３２にネジ止めされる。また、第二縦板４４の中央部と第五隙間板４８の表面を覆うように、第二横板２４を設置する。第二横板２４は、図９に示すように、左右両端の第二縦板４４，４４の長孔Ｈと第二隙間板１８を介して第二横枠３４にネジ止めされ、第五隙間板４８の長孔Ｈおよび第一縦板１４の中央部の長孔Ｈを介して第二横枠３４にネジ止めされる。さらに、第二縦板４４の下端部と第六隙間板５０の表面を覆うように、第三横板２６を設置する。第三横板２６は、左右両端の第二縦板４４，４４の長孔Ｈと第三隙間板２０を介して第三横枠３６にネジ止めされ、第六隙間板５０の長孔および第一縦板１４の下端部の長孔を介して第二横枠３４にネジ止めされる。
【００４５】
以上、各実施形態に基づいて本考案のフェンスを説明したが、本考案のフェンスは上記実施形態に限定されない。すなわち、本考案のフェンスは、横板の位置が縦板の上端部、中央部、および下端部でなくてもよいし、横板を４枚以上設置してもよい。また、本考案のフェンスは、第一縦板および第二縦板の形状が全部同じでなくてもよいし、枠体側から第一縦板をネジ止めしてもよい。
【符号の説明】
【００４６】
１０，４０，７０，８０  フェンス
１２  枠体
１４  第一縦板
１６  第一隙間板
１８  第二隙間板
２０  第三隙間板
２２  第一横板
２４  第二横板
２６  第三横板
２８，３０  縦枠
３２  第一横枠
３４  第二横枠
３６  第三横枠
４４  第二縦板
４６  第四隙間板
４８  第五隙間板
５０  第六隙間板
７２，８２  支柱
７４，７６，８４，８６  横板
７８  縦板
８８  前側縦板
９０  後側縦板
【図１】
0003182471.tif 000003
【図２】
0003182471.tif 000004
【図３】
0003182471.tif 000005
【図４】
0003182471.tif 000006
【図５】
0003182471.tif 000007
【図６】
0003182471.tif 000008
【図７】
0003182471.tif 000009
【図８】
0003182471.tif 000010
【図９】
0003182471.tif 000011
【図１０】
0003182471.tif 000012
【図１１】
0003182471.tif 000013
【図１２】
0003182471.tif 000014
【図１３】
0003182471.tif 000015
【図１４】
0003182471.tif 000016
【図１５】
0003182471.tif 000017